(57)【要約】【課題】ゴム栓の搬送姿勢を所定の姿勢に自動的に揃えてスムーズに搬送させることができる小型のゴム栓供給装置を提供する。【解決手段】複数個のゴム栓９を収容する収容ドラム２０と、この収容ドラム２０内の複数個のゴム栓９を整列状態で供給口１３まで順次搬送する整列フィーダ１１とを備えたゴム栓供給装置１０であって、整列フィーダ１１上に収容ドラム２０を設け、この整列フィーダ１１上の収容ドラム２０内に供給口１３まで延びる環状の溝部１４を設け、この環状の溝部１４上に、凹状のゴム栓受け部２３を外周に複数有したターンテーブル２２を回転自在に設け、このターンテーブル２２の回転により複数個のゴム栓９を該ターンテーブル２２の各ゴム栓受け部２３で整列フィーダ１１の環状の溝部１４内に順次振り分けて供給口１３まで順次搬送自在にした。【選択図】　　　図２
2004103492.tif 000002
【特許請求の範囲】
【請求項１】
複数個のゴム栓を収容する収容ドラムと、この収容ドラム内の前記複数個のゴム栓を整列状態で供給口まで順次搬送する整列フィーダとを備え、前記収容ドラム内の前記複数個のゴム栓を遠心分離により前記整列フィーダの溝部に供給して前記供給口まで順次搬送するようにしたゴム栓供給装置であって、
前記整列フィーダ上に前記収容ドラムを設け、この整列フィーダ上の前記収容ドラム内に供給口まで延びる環状の溝部を設け、この環状の溝部上に、凹状のゴム栓受け部を外周に複数有したターンテーブルを回転自在に設け、このターンテーブルの回転により前記複数個のゴム栓を該ターンテーブルの各ゴム栓受け部で前記整列フィーダの環状の溝部内に順次振り分けて前記供給口まで順次搬送自在にしたことを特徴とするゴム栓供給装置。
【請求項２】
請求項１記載のゴム栓供給装置であって、
前記環状の溝部を前記各ゴム栓の小径先端部が入る大きさに形成し、かつ、前記ターンテーブルの各ゴム栓受け部を前記各ゴム栓の大径シール部が入る大きさに形成する一方、前記供給口の近傍の前記環状の溝部上に前記各ゴム栓の小径先端部を前記ターンテーブルの各ゴム栓受け部側に案内するガイドを設け、このガイドを介して前記大径シール部を上にした各ゴム栓のみを前記供給口まで順次搬送自在にしたことを特徴とするゴム栓供給装置。
【請求項３】
請求項２記載のゴム栓供給装置であって、
前記収容ドラムの中心よりも前記環状の溝部の中心及び前記ターンテーブルの回転中心を偏芯した位置にそれぞれ設け、この偏芯によりずれた前記収容ドラムと前記ターンテーブル間の前記整列フィーダ上に前記環状の溝部の接線上に沿うように該溝部に連続して延びる傾斜部を設け、この傾斜部を介して小径先端部を上にした前記各ゴム栓を前記ターンテーブル上に順次戻し搬送自在にしたことを特徴とするゴム栓供給装置。
【請求項４】
複数個のゴム栓を収容する収容ドラムと、この収容ドラム内の前記複数個のゴム栓を整列状態で供給口まで順次搬送する整列フィーダとを備え、前記収容ドラム内の前記複数個のゴム栓を遠心分離により前記整列フィーダの溝部に供給して前記供給口まで順次搬送するようにしたゴム栓供給装置であって、
前記整列フィーダ上に前記収容ドラムを設け、この整列フィーダ上の前記収容ドラム内に供給口まで延びる略環状の溝部を設け、この略環状の溝部上に、前記複数のゴム栓の大径シール部が入る凹状のゴム栓受け部を外周に複数有したターンテーブルを回転自在に設け、かつ、前記略環状の溝部を前記各ゴム栓の小径先端部が入る大きさに形成すると共に、該溝部を前記供給口まで連続して形成し、前記ターンテーブルの回転により前記複数個のゴム栓を該ターンテーブルの各ゴム栓受け部で前記整列フィーダの略環状の溝部内に順次振り分けて前記大径シール部を上にした各ゴム栓のみを前記供給口まで順次搬送自在にしたことを特徴とするゴム栓供給装置。
【発明の詳細な説明】
【０００１】
【発明の属する技術分野】
本発明は、電線の防水に用いられるゴム栓（防水栓）を供給するゴム栓供給装置に関する。
【０００２】
【従来の技術】
この種のゴム栓供給装置として、図１０に示すものがある（例えば、特許文献１参照。）。このゴム栓供給装置１は、収容ドラム２と、この収容ドラム２から供給されるゴム栓９を一列に直線状に整列させて送り出す整列フィーダ３とを備えている。
【０００３】
そして、収容ドラム２内には、多数のゴム栓９が随時投入されており、収容ドラム２の回転により該収容ドラム２内のゴム栓９が整列フィーダ３の溝部３Ａ内に落ちることにより順次ゴム栓９の押し出しが行われるようになっている。
【０００４】
このようにして整列フィーダ３に沿って押し出されたゴム栓９は、ゴム栓押し出し部４に達して所定のタイミングでゴム栓装着部５側へ押し出されるようになっている。
【０００５】
【特許文献１】
特開２００１−２３１１２５号公報
【特許文献２】
特開平９−２５１８８５号公報
【０００６】
【発明が解決しようとする課題】
しかしながら、前記従来のゴム栓供給装置１では、収容ドラム２から供給されるゴム栓９が整列フィーダ３の溝部３Ａ内に一列の直接状に整列されて供給口であるゴム栓押し出し部４側に送り出されるようになっているため、長尺の整列フィーダ３が必要となり、その分、ゴム栓供給装置１全体が大型になった。また、収容ドラム２の回転により該収容ドラム２内のゴム栓９がその自重により大径シール部９ｂを下にして整列フィーダ３の溝部３Ａ内に振り分けられて落ちるようになっているが、ゴム栓９の小径先端部９ａが下向きになって整列フィーダ３の溝部３Ａ内に供給された場合には、作業者が手作業でゴム栓９の大径シール部９ｂが下になるように該ゴム栓９の姿勢（向き）を入れ換える必要があり、入れ換え作業が煩雑であった。
【０００７】
そこで、本発明は、前記した課題を解決すべくなされたものであり、ゴム栓の搬送姿勢を所定の姿勢に自動的に揃えてスムーズに搬送させることができる小型のゴム栓供給装置を提供することを目的とする。
【０００８】
【課題を解決するための手段】
請求項１の発明は、複数個のゴム栓を収容する収容ドラムと、この収容ドラム内の前記複数個のゴム栓を整列状態で供給口まで順次搬送する整列フィーダとを備え、前記収容ドラム内の前記複数個のゴム栓を遠心分離により前記整列フィーダの溝部に供給して前記供給口まで順次搬送するようにしたゴム栓供給装置であって、前記整列フィーダ上に前記収容ドラムを設け、この整列フィーダ上の前記収容ドラム内に供給口まで延びる環状の溝部を設け、この環状の溝部上に、凹状のゴム栓受け部を外周に複数有したターンテーブルを回転自在に設け、このターンテーブルの回転により前記複数個のゴム栓を該ターンテーブルの各ゴム栓受け部で前記整列フィーダの環状の溝部内に順次振り分けて前記供給口まで順次搬送自在にしたことを特徴とする。
【０００９】
このゴム栓供給装置では、整列フィーダ上の収容ドラム内に供給口まで延びる環状の溝部を設けると共に、該環状の溝部上に回転自在に設けられたターンテーブルの回転により複数個のゴム栓を該ターンテーブルの各ゴム栓受け部で整列フィーダの環状の溝部内に順次振り分けて供給口まで順次搬送自在にしたので、小型の整列フィーダでも多数のゴム栓が供給口まで順次確実に搬送される。また、整列フィーダが小型になるため、その分装置全体が小型化される。
【００１０】
請求項２の発明は、請求項１記載のゴム栓供給装置であって、前記環状の溝部を前記各ゴム栓の小径先端部が入る大きさに形成し、かつ、前記ターンテーブルの各ゴム栓受け部を前記各ゴム栓の大径シール部が入る大きさに形成する一方、前記供給口の近傍の前記環状の溝部上に前記各ゴム栓の小径先端部を前記ターンテーブルの各ゴム栓受け部側に案内するガイドを設け、このガイドを介して前記大径シール部を上にした各ゴム栓のみを前記供給口まで順次搬送自在にしたことを特徴とする。
【００１１】
このゴム栓供給装置では、各ゴム栓の小径先端部が上になった逆向きの状態で整列フィーダの環状の溝部内に沿って順次搬送されて供給口の近傍まで来ると、ガイドにより各ゴム栓の小径先端部がターンテーブルの各ゴム栓受け部側に案内されて整列フィーダの環状の溝部側に再搬送される。このガイドによって大径シール部を上向きしたゴム栓のみが供給口まで順次搬送される。即ち、ゴム栓がその大径シール部を上向きにした状態に自動的に揃えられて供給口までスムーズかつ確実に順次搬送される。
【００１２】
請求項３の発明は、請求項２記載のゴム栓供給装置であって、前記収容ドラムの中心よりも前記環状の溝部の中心及び前記ターンテーブルの回転中心を偏芯した位置にそれぞれ設け、この偏芯によりずれた前記収容ドラムと前記ターンテーブル間の前記整列フィーダ上に前記環状の溝部の接線上に沿うように該溝部に連続して延びる傾斜部を設け、この傾斜部を介して小径先端部を上にした前記各ゴム栓を前記ターンテーブル上に順次戻し搬送自在にしたことを特徴とする。
【００１３】
このゴム栓供給装置では、偏芯によりずれた収容ドラムとターンテーブル間の整列フィーダ上に環状の溝部の接線上に沿うように該溝部に連続して延びる傾斜部を設け、この傾斜部を介して小径先端部が上になった逆向き状態の各ゴム栓がターンテーブル上に順次戻されるため、小径先端部が上になった逆向き状態の各ゴム栓がターンテーブル上に自動的に戻されて該ターンテーブルの各ゴム栓受け部により整列フィーダの環状の溝部内に再度供給され、従来のようにゴム栓の搬送姿勢を入れ換えるような作業が必要ない。
【００１４】
請求項４の発明は、複数個のゴム栓を収容する収容ドラムと、この収容ドラム内の前記複数個のゴム栓を整列状態で供給口まで順次搬送する整列フィーダとを備え、前記収容ドラム内の前記複数個のゴム栓を遠心分離により前記整列フィーダの溝部に供給して前記供給口まで順次搬送するようにしたゴム栓供給装置であって、前記整列フィーダ上に前記収容ドラムを設け、この整列フィーダ上の前記収容ドラム内に供給口まで延びる略環状の溝部を設け、この略環状の溝部上に、前記複数のゴム栓の大径シール部が入る凹状のゴム栓受け部を外周に複数有したターンテーブルを回転自在に設け、かつ、前記略環状の溝部を前記各ゴム栓の小径先端部が入る大きさに形成すると共に、該溝部を前記供給口まで連続して形成し、前記ターンテーブルの回転により前記複数個のゴム栓を該ターンテーブルの各ゴム栓受け部で前記整列フィーダの略環状の溝部内に順次振り分けて前記大径シール部を上にした各ゴム栓のみを前記供給口まで順次搬送自在にしたことを特徴とする。
【００１５】
このゴム栓供給装置では、整列フィーダの略環状の溝部を供給口まで連続して形成したので、ターンテーブルの回転により複数個のゴム栓を該ターンテーブルの各ゴム栓受け部で整列フィーダの略環状の溝部内に順次振り分けて大径シール部を上にした各ゴム栓のみが供給口までよりスムーズにかつ確実に順次搬送される。
【００１６】
【発明の実施の形態】
以下、本発明の一実施形態を図面に基づいて説明する。
【００１７】
図１は本発明の実施形態のゴム栓供給装置を示す斜視図、図２は同ゴム栓供給装置の平面図、図３は同ゴム栓供給装置の正面図、図４は同ゴム栓供給装置の整列フィーダの斜視図、図５は同ゴム栓供給装置の整列フィーダとターンテーブルの分解斜視図、図６は図５中Ｆ−Ｆ線に沿う拡大断面図、図７は同ゴム栓供給装置の要部の拡大斜視図、図８は同ゴム栓供給装置の供給口に接続フィーダを取り付けた状態を示す斜視図である。
【００１８】
図１〜４及び図８に示すように、ゴム栓供給装置１０は、複数個のゴム栓９を整列状態で供給口１３まで順次搬送する矩形板状の整列フィーダ１１と、この整列フィーダ１１上に図示しないネジ等を介して締結固定され、内部に複数個のゴム栓９を収容する円筒状の収容ドラム２０と、整列フィーダ１１上の収容ドラム２０内にモータ等からなる駆動源２１を介して回転自在に支持され、複数個のゴム栓９を遠心分離により整列フィーダ１１の円環状の溝部１４に振り分けるように供給するターンテーブル２２と、整列フィーダ１１の供給口１３側に着脱自在に取り付けられ、図示しない電線の端末にゴム栓９を装着するゴム栓挿入機等に接続される接続フィーダ３０とを備えている。
【００１９】
図２，図５に示すように、整列フィーダ１１の正面中央の供給口１３は各ゴム栓９がその小径先端部９ａを下にした状態で入る幅と深さに形成してあり、後述する円環状の溝部１４に対して垂直に延びる連通溝部１３ａにより該円環状の溝部１４に連通している。また、図４〜図８に示すように、整列フィーダ１１の上面１１ａの略中央には円形の凹部１２を形成してあり、該凹部１２の内側には供給口１３にその連通溝部１３ａを介して連通するゴム栓搬送用で円環状の溝部１４を形成してある。この円環状の溝部１４は各ゴム栓９の小径先端部９ａが入る幅と深さに形成してあり、該円環状の溝部１４に各ゴム栓９の小径先端部９ａが挿入された時に該ゴム栓９の小径先端部９ａと大径シール部９ｂの境部分が該溝部１４の両側の凹部１２の底面１２ａ上をスライドするようになっている。尚、円環状の溝部１４と供給口１３の連通溝部１３ａの境部分の周面の図２中左側は円弧部１４ａになっていると共に、該境部分の周面の図２中右側は角部１４ｂになっている。
【００２０】
また、収容ドラム２０は透明なアクリル樹脂等により円筒状に形成してある。さらに、図１，図３に示すように、収容ドラム２０の周壁２０ａの供給口１３に対向する位置には正面矩形の切欠部２０ｂを形成してある。
【００２１】
図１，図２，図４，図５に示すように、ターンテーブル２２は円板状に形成してあり、その外周部は整列フィーダ１１の円環状の溝部１４を覆う位置にある。即ち、ターンテーブル２２は整列フィーダ１１の円形の凹部１２内に収容されている。また、ターンテーブル２２の外周部には平面略Ｕ字状に切り欠かかれた凹状のゴム栓受け部２３を所定間隔毎に複数形成してある。即ち、図２及び図７に示すように、各ゴム栓受け部２３は円弧面２３ａと傾斜面２３ｂとで各ゴム栓９の大径シール部９ｂが入る大きさに形成してある。
【００２２】
また、図１及び図２に示すように、ターンテーブル２２の外周の各ゴム栓受け部２３内より整列フィーダ１１の円環状の溝部１４が部分的に露出している。そして、このターンテーブル２２の回転により複数個のゴム栓９を該ターンテーブル２２の各ゴム栓受け部２３を介して整列フィーダ１１の円環状の溝部１４内に順次振り分けて供給口１３まで搬送するようになっている。尚、ターンテーブル２２の中央には駆動源２１の図示しない駆動軸が取り付けられる円形の取付孔２４を形成してある。
【００２３】
さらに、図２に示すように、整列フィーダ１１の円環状の溝部１４の中心及びターンテーブル２２の回転中心は、整列フィーダ１１の略中心（同じ位置であるＯ１）に位置している。また、収容ドラム２０の中心Ｏ２は整列フィーダ１１の円環状の溝部１４の中心Ｏ１及びターンテーブル２２の回転中心Ｏ１よりも前後方向に距離Ｅ１、左右方向に距離Ｅ２それぞれ偏芯した位置にそれぞれ位置している。この偏芯によりずれた収容ドラム２０とターンテーブル２２間の整列フィーダ１１の上面１１ａの図２中右上コーナ部側には円環状の溝部１４の接線上に沿うように該溝部１４に連続して延びる傾斜部１５を形成してある。この傾斜部１５を介して小径先端部９ａを上にした各ゴム栓９は整列フィーダ１１の上面１１ａからターンテーブル２２上に順次戻るようになっている。尚、図２に示すように、整列フィーダ１１の上面１１ａ上の円環状の溝部１４と傾斜部１５との境部分には平面略矩形で断面コ字状のガイド２５を図示しないネジ等を介して着脱自在に取り付けてある。
【００２４】
図２，図５に示すように、整列フィーダ１１上の供給口１３の連通溝部１３ａと円環状の溝部１４との境部分には、各ゴム栓９の小径先端部９ａをターンテーブル２２の各ゴム栓受け部２３側に案内する矩形板状のガイド２６を図示しないネジ等を介して着脱自在に取り付けてある。このガイド２６を介して大径シール部９ｂを上にした各ゴム栓９のみを供給口１３まで順次搬送自在にしてある。図２及び図７に示すように、ガイド２６の前面（案内面）２６ａ側はターンテーブル２２の外周部上にオーバーラップするように前後方向の突出量を可変自在に取り付けられていて、小径先端部９ａが上になった逆向き状態の各ゴム栓９がターンテーブル２２の各ゴム栓受け部２３内に収容されてガイド２６の前面２６ａまで搬送されて来た時に該ガイド２６の前面２６ａにより供給口１３側ではなく、整列フィーダ１１の傾斜部１５側に再度搬送されるようになっている。即ち、ガイド２６には前後方向に延びる一対の調整孔２６ｂ，２６ｂを形成してあり、この各調整孔２６ｂを介してガイド２６の取付位置を前後方向に可変させることによりガイド２６の前面２６ａのオーバーラップ量を可変自在になっている。
【００２５】
尚、整列フィーダ１１の中央にはターンテーブル２２の取付孔２４よりも大径の丸孔１１ｂを形成してある。また、電線の端末に装着されて該端末を防水する防水栓としてのゴム栓９は、内部に電線の端末を圧入により挿入させる略円筒状に形成してあると共に、その小径先端部９ａの方が大径シール部９ｂよりも小径に形成してある。さらに、整列フィーダ１１の正面中央には切欠部１１ｃを形成してある。図８に示すように、この整列フィーダ１１の切欠部１１ｃには側面扇形の接続フィーダ３０を図示しないネジにより締結固定してある。この接続フィーダ１１の正面の円弧面中央にはゴム栓９を搬送するための搬送溝３１を形成してあり、該搬送溝３１の終端の供給口３２にゴム栓９がその大径シール部９ｂを露出させた状態で順次供給されるようになっている。
【００２６】
以上実施形態のゴム栓供給装置１０によれば、整列フィーダ１１上の収容ドラム２０内に複数個のゴム栓９を投入し、ターンテーブル２２を図中矢印Ｅ方向に一定速度で回転させると、このターンテーブル２２の回転により該ターンテーブル２２の凹状の各ゴム栓受け部２３内に各ゴム栓９が振り分けられてターンテーブル２２の下方の整列フィーダ１１の円環状の溝部１４に沿って供給口１３側へ順次搬送される。
【００２７】
この円環状の溝部１４はゴム栓９の小径先端部９ａが入る幅と深さに形成されていると共に、ターンテーブル２２の凹状の各ゴム栓受け部２３は各ゴム栓９の大径シール部９ｂが入る大きさに形成されているため、図５及び図７に示すように、小径先端部９ａを下にした状態で大径シール部９ｂをターンテーブル２２の凹状のゴム栓受け部２３内に収容させたゴム栓９は、その小径先端部９ａを整列フィーダ１１の円環状の溝部１４内に挿入された状態で供給口１３側のガイド２６側まで搬送される。そして、このガイド２６側ではゴム栓９の大径シール部９ｂがターンテーブル２２の凹状のゴム栓受け部２３内に収容されて該ターンテーブル２２の上面より突出することがないため、ゴム栓９はガイド２６の下方を通り、ターンテーブル２２の回転による遠心分離作用（収容ドラム２０の周壁２０ａ側の外側に働く力）により供給口１３側に搬送方向を変えて円環状の溝部１４から連通溝部１３ａを通って供給口１３まで搬送される。即ち、大径シール部９ｂを上にした各ゴム栓９はガイド２６の下方の円環状の溝部１４と供給口１３の境部分の円弧部１４ａに沿って供給口１３側に向きを変えて該供給口１３まで順次搬送される。
【００２８】
また、図５及び図７に示すように、小径先端部９ａを上にした状態で大径シール部９ｂをターンテーブル２２の凹状の各ゴム栓受け部２３内に収容させた各ゴム栓９は、その大径シール部９ｂが円環状の溝部１４の両側の凹部１２の底面１２ａ上を摺動してガイド２６側まで搬送される。この際、各ゴム栓９の大径シール部９ｂがターンテーブル２２の凹状の各ゴム栓受け部２３内に収容されていると共に、その小径先端部９ａがターンテーブル２２の上面より突出しているため、各ゴム栓９の小径先端部９ａがガイド２６の前面２６ａに案内されて該各ゴム栓９の大径シール部９ｂがターンテーブル２２の凹状のゴム栓受け部２３の円弧面２３ａ側に押し付けられた状態で円環状の溝部１４に沿って傾斜部１５側へ搬送され、供給口１３側へ搬送されることはない。
【００２９】
そして、小径先端部９ａを上にした各ゴム栓９は、図２に示すように、ターンテーブル２２と収容ドラム２０との偏芯量の一番大きい部位の整列フィーダ１１の円環状の溝部１４に設けられた傾斜部１５を介して収容ドラム２０とターンテーブル２２間の整列フィーダ１１の上面１１ａに順次押し戻され、ターンテーブル２２上に順次戻し搬送される。この際、ゴム栓９はターンテーブル２２の遠心分離作用により収容ドラム２０の周壁２０ａに当たったりして姿勢（向き）が変えられる機会が得られ、ターンテーブル２２の凹状の各ゴム栓受け部２３内に再度収容される。
【００３０】
このように、整列フィーダ１１上の収容ドラム２０内に供給口１３まで延びる円環状の溝部１４を設け、この円環状の溝部１４上に、凹状のゴム栓受け部２３を外周に複数有したターンテーブル２２を回転自在に設け、このターンテーブル２２の回転により複数個のゴム栓９を該ターンテーブル２２の各ゴム栓受け部２３と整列フィーダ１１の円環状の溝部１４を介してその小径先端部９ａを下にした状態で順次振り分けて供給口１３まで順次搬送自在にしたことにより、小型の整列フィーダ１１でも多数のゴム栓９を供給口１３まで順次確実に搬送することができ、その分、ゴム栓供給装置１０全体を小型にすることができる。
【００３１】
また、整列フィーダ１１の円環状の溝部１４を各ゴム栓９の小径先端部９ａが入る幅と深さに形成すると共に、ターンテーブル２２の各ゴム栓受け部２３を各ゴム栓９の大径シール部９ｂが入る大きさに形成し、供給口１３の近傍の円環状の溝部１４上に各ゴム栓９の小径先端部９ａをターンテーブル２２の各ゴム栓受け部２３側に案内するガイド２６を着脱自在に取り付け、このガイド２６を介して大径シール部９ｂを上にした各ゴム栓９のみを供給口１３まで順次搬送するようにしたので、ゴム栓９の搬送姿勢を大径シール部９ｂを上向きにした状態に自動的に揃えて供給口１３までゴム栓９をスムーズかつ確実に順次搬送させることができる。
【００３２】
さらに、図２に示すように、収容ドラム２０の中心Ｏ２が整列フィーダ１１の円環状の溝部１４の中心Ｏ１及びターンテーブル２２の回転中心Ｏ１よりも前後方向に距離Ｅ１、左右方向に距離Ｅ２それぞれ偏芯した位置にそれぞれ位置されて、ガイド２６側で収容ドラム２０の周壁２０ａとターンテーブル２２の外周部とが近接しているため、この近接した部分においてターンテーブル２２の凹状の各ゴム栓受け部２３内に小径先端部９ａを下向きにした各ゴム栓９の大径シール部９ｂを容易かつ確実に収容することができる。
【００３３】
また、ターンテーブル２２の凹状の各ゴム栓受け部２３内に収容された各ゴム栓９の大径シール部９ｂは該各ゴム栓受け部２３の傾斜面２３ｂにより整列フィーダ１１の円形の凹部１２の周面１２ｂ及び各ゴム栓受け部２３の円弧面２３ａ側に押圧される。これにより、ゴム栓９を円環状の溝部１４と供給口１３の境部分のガイド２６側まで容易かつ確実に搬送することができる。さらに、収容ドラム２０は透明なアクリル樹脂等により円筒状に形成されているため、収容ドラム２０の上側開口部を図示しない円板状の蓋をして閉じても収容ドラム２０内のゴム栓９の投入量を外部から容易に知ることができる。
【００３４】
図９は本発明の他の実施形態のゴム栓供給装置の分解斜視図である。
【００３５】
この他の実施形態のゴム栓供給装置１０′は、整列フィーダ１１上の収容ドラム２０内に供給口１３まで延びる略円環状の溝部１４′を形成してあり、この溝部１４′を供給口１３まで連続して一体形成してある点が前記実施形態の構成と異なる。即ち、整列フィーダ１１のガイド２６の前面２６ａの中央下方より始まる溝部１４′は略円環状に形成されてガイド２６の中央下方において円弧部１４ａと直線部１４ｃを介して供給口１３側まで連続して一体形成してあり、円形の凹部１２の底面１２ａの一部１２ｃが溝部１４′の始点と円弧部１４ａを仕切る仕切壁になっている。尚、略円環状の溝部１４′を各ゴム栓９の小径先端部９ａが入る幅と深さに形成したり、略円環状の溝部１４′上に、複数のゴム栓９の大径シール部９ｂが入る凹状のゴム栓受け部２３を外周に複数有したターンテーブル２２を回転自在に設ける等の構成は前記実施形態と同様であるので、同一構成部分には同一符号を付して詳細な説明は省略する。
【００３６】
以上他の実施形態のゴム栓供給装置１０′によれば、整列フィーダ１１上の収容ドラム２０内に複数個のゴム栓９を投入し、ターンテーブル２２を所定方向に一定速度で回転させると、このターンテーブル２２の回転により該ターンテーブル２２の凹状の各ゴム栓受け部２３内に各ゴム栓９が振り分けられてターンテーブル２２の下方の整列フィーダ１１の略円環状の溝部１４′に沿って供給口１３側へ順次搬送される。
【００３７】
この際、整列フィーダ１１の略円環状の溝部１４′を供給口１３まで連続して一体形成したので、ターンテーブル２２の回転により複数個のゴム栓９を該ターンテーブル２２の各ゴム栓受け部２３で整列フィーダ１１の略円環状の溝部１４′内に順次振り分けて大径シール部９ｂを上にした各ゴム栓９のみを供給口１３までよりスムーズにかつ確実に順次搬送することができる。また、前記実施形態と同様に、ガイド２６の前面２６ａ等によりゴム栓９の搬送姿勢を小径先端部９ａを下向きに自動的に揃えて供給口１３側までスムーズかつ確実に搬送させることができる。
【００３８】
【発明の効果】
以上説明したように、請求項１の発明によれば、整列フィーダ上の収容ドラム内に供給口まで延びる環状の溝部を設け、この環状の溝部上に、凹状のゴム栓受け部を外周に複数有したターンテーブルを回転自在に設け、このターンテーブルの回転により複数個のゴム栓を該ターンテーブルの各ゴム栓受け部で整列フィーダの環状の溝部内に順次振り分けて供給口まで順次搬送自在にしたので、小型の整列フィーダでも多数のゴム栓を供給口まで順次確実に搬送することができ、その分装置全体を小型にすることができる。
【００３９】
請求項２の発明によれば、環状の溝部を各ゴム栓の小径先端部が入る大きさに形成し、ターンテーブルの各ゴム栓受け部を各ゴム栓の大径シール部が入る大きさに形成し、供給口の近傍の環状の溝部上に各ゴム栓の小径先端部をターンテーブルの各ゴム栓受け部側に案内するガイドを設け、このガイドを介して大径シール部を上にした各ゴム栓のみを供給口まで順次搬送自在にしたので、ゴム栓の搬送姿勢を大径シール部を上向きにした状態に自動的に揃えて供給口までゴム栓をスムーズかつ確実に順次搬送させることができる。
【００４０】
請求項３の発明によれば、収容ドラムの中心よりも環状の溝部の中心及びターンテーブルの回転中心を偏芯した位置にそれぞれ設け、この偏芯によりずれた収容ドラムとターンテーブル間の整列フィーダ上に環状の溝部の接線上に沿うように該溝部に連続して延びる傾斜部を設け、この傾斜部を介して小径先端部を上にした各ゴム栓をターンテーブル上に順次戻し搬送自在にしたので、小径先端部が上になった逆向き状態の各ゴム栓をターンテーブル上に自動的に戻して該ターンテーブルの各ゴム栓受け部で整列フィーダの環状の溝部内に再度供給することができる。これにより、従来のようにゴム栓の搬送姿勢を入れ換えるような作業が必要なく、ゴム栓の安定供給が可能となる。
【００４１】
請求項４の発明によれば、整列フィーダの略環状の溝部を供給口まで連続して形成したので、ターンテーブルの回転により複数個のゴム栓を該ターンテーブルの各ゴム栓受け部で整列フィーダの略環状の溝部内に順次振り分けて大径シール部を上にした各ゴム栓のみを供給口までよりスムーズにかつ確実に順次搬送することができる。
【図面の簡単な説明】
【図１】本発明の実施形態のゴム栓供給装置を示す斜視図である。
【図２】上記ゴム栓供給装置の平面図である。
【図３】上記ゴム栓供給装置の正面図である。
【図４】上記ゴム栓供給装置の整列フィーダの斜視図である。
【図５】上記ゴム栓供給装置の整列フィーダとターンテーブルの分解斜視図である。
【図６】図５中Ｆ−Ｆ線に沿う拡大断面図である。
【図７】上記ゴム栓供給装置の要部の拡大斜視図である。
【図８】上記ゴム栓供給装置の供給口に接続フィーダを取り付けた状態を示す斜視図である。
【図９】本発明の他の実施形態のゴム栓供給装置の分解斜視図である。
【図１０】従来のゴム栓供給装置の説明図である。
【符号の説明】
９　ゴム栓
９ａ　小径先端部
９ｂ　大径シール部
１０，１０′　ゴム栓供給装置
１１　整列フィーダ
１３　供給口
１４　環状の溝部
１４′　略環状の溝部
１５　傾斜部
２０　収容ドラム
２２　ターンテーブル
２３　凹状のゴム栓受け部
２６　ガイド
Ｏ１　環状の溝部の中心
Ｏ１　ターンテーブルの回転中心
Ｏ２　収容ドラムの中心
【図１】
2004103492.tif 000003
【図２】
2004103492.tif 000004
【図３】
2004103492.tif 000005
【図４】
2004103492.tif 000006
【図５】
2004103492.tif 000007
【図６】
2004103492.tif 000008
【図７】
2004103492.tif 000009
【図８】
2004103492.tif 000010
【図９】
2004103492.tif 000011
【図１０】
2004103492.tif 000012